(57)【要約】【課題】簡便に内部に上げ底部分を形成可能で、見た目が良い陳列用容器を提供することを目的とする。【解決手段】上方が開放された合成樹脂製の容器本体２と、第１の板状部３１と第１の板状部３１に連結された第２の板状部３２とを備えて容器本体２内に収納される合成樹脂製の上げ底形成部材３とを備え、上げ底形成部材３は、移動及び／又は回動されることにより、第１の板状部３１が容器本体２の底壁部２１の内側に重ねられるとともに、第２の板状部３２が前壁部２２の内側に重ねられた第１の状態と、第１の板状部３１が底壁部２１上に立設されるとともに、第２の板状部３２の第１の板状部３１が連結された側とは反対側の端部３２２が後壁部２３に当接された第２の状態と、に変化可能に構成されている陳列用容器１。【選択図】図８
0003157424.tif 000002
【実用新案登録請求の範囲】
【請求項１】
底壁部と、前記底壁部に連続して前記底壁部の前端部から立ち上がる前壁部と、前記底壁部に連続して前記底壁部の後端部から立ち上がる後壁部と、前記底壁部と前記前壁部と前記後壁部とにそれぞれ連続して前記底壁部の左右の端部から立ち上がる左右の側壁部の５つの壁部を備えて、上方が開放された合成樹脂製の容器本体と、
第１の板状部と前記第１の板状部に連結された第２の板状部とを備えて、前記容器本体内に収納される合成樹脂製の上げ底形成部材と、
を備え、
前記上げ底形成部材は、移動及び／又は回動されることにより、
前記第１の板状部が前記５つの壁部のうちの一の壁部の内側に重ねられるとともに、前記第２の板状部が前記５つの壁部のうちの前記一の壁部に連続する他の壁部の内側に重ねられた第１の状態と、
前記第１の板状部が前記底壁部上に立設されるとともに、前記第２の板状部の前記第１の板状部が連結された側とは反対側の端部が前記後壁部に当接された第２の状態と、
に変化可能に構成されていることを特徴とする陳列用容器。
【請求項２】
前記一の壁部が前記底壁部であり、
前記他の壁部が前記前壁部であり、
前記第１の板状部の前記第２の板状部に連結された側とは反対側の端部が、前記底壁部に枢着され、
前記第１の板状部の前記枢着された端部を軸として前記上げ底形成部材を回動させることにより、前記上げ底形成部材が前記第１の状態から前記第２の状態に変化することを特徴とする請求項１記載の陳列用容器。
【請求項３】
前記容器本体には、前記一の壁部から前記他の壁部にかけて、内面に凹部が形成され、
前記第１の状態において、前記上げ底形成部材が前記凹部に嵌合されることを特徴とする請求項１または２に記載の陳列用容器。
【請求項４】
前記第１の状態において、前記第１の板状部の内面と前記一の壁部の前記凹部が形成されていない部分の内面とが略面一をなすとともに、前記第２の板状部の内面と前記他の壁部の前記凹部が形成されていない部分の内面とが略面一をなすように構成されていることを特徴とする請求項３に記載の陳列用容器。
【請求項５】
前記後壁部に、前記第２の状態において前記第２の板状部の前記反対側の端部を係止する係止部が設けられていることを特徴とする請求項１〜４のいずれか１項に記載の陳列用容器。
【請求項６】
前記一の壁部と前記他の壁部とが、縦断面が略く字状をなすように連結され、
前記上げ底形成部材の縦断面が前記一の壁部と前記他の壁部とがなす角度と略同じ角度の略く字状をなすように、前記第１の板状部と前記第２の板状部とが連結されていることを特徴とする請求項１〜５のいずれか１項に記載の陳列用容器。
【請求項７】
前記第１の板状部と前記第２の板状部とが、屈曲された連結部を介して連結され、
前記第２の状態において、前記第２の板状部が前記底壁部の上面と略平行で上方を向く第１の面を形成するとともに、前記連結部が前記第１の面よりも下位に前記底壁部の上面と略平行で上方を向く第２の面を形成するように構成されていることを特徴とする請求項１〜５のいずれか１項に記載の陳列用容器。
【考案の詳細な説明】
【技術分野】
【０００１】
本考案は、商品を陳列するための陳列用容器に関する。
【背景技術】
【０００２】
従来から、ドラッグストア等の店舗においては、商品を合成樹脂製のバスケット（籠）に多数収納して陳列することが行われている。そして、商品を目立たせたり、商品の数を多く見せたりするために、バスケットの中に適当な大きさの空き箱等を入れて、バスケット内に段を設け、部分的に上げ底することが行われている。
【考案の概要】
【考案が解決しようとする課題】
【０００３】
しかし、バスケットに空き箱等を入れて上げ底部分を形成する場合、適当な大きさの空き箱等を探さなければならないため簡便でなく、また、見た目も良くないという問題があった。
【０００４】
この考案は、上述した問題を解決するものであり、簡便に内部に上げ底部分を形成可能で、見た目が良い陳列用容器を提供することを目的とする。
【課題を解決するための手段】
【０００５】
本考案の陳列用容器は、底壁部と、前記底壁部に連続して前記底壁部の前端部から立ち上がる前壁部と、前記底壁部に連続して前記底壁部の後端部から立ち上がる後壁部と、前記底壁部と前記前壁部と前記後壁部とにそれぞれ連続して前記底壁部の左右の端部から立ち上がる左右の側壁部の５つの壁部を備えて、上方が開放された合成樹脂製の容器本体と、第１の板状部と前記第１の板状部に連結された第２の板状部とを備えて、前記容器本体内に収納される合成樹脂製の上げ底形成部材と、を備え、前記上げ底形成部材は、移動及び／又は回動されることにより（すなわち、移動又は回動の少なくとも一方が行われることにより）、前記第１の板状部が前記５つの壁部のうちの一の壁部の内側に重ねられるとともに、前記第２の板状部が前記５つの壁部のうちの前記一の壁部に連続する他の壁部の内側に重ねられた第１の状態と、前記第１の板状部が前記底壁部上に立設されるとともに、前記第２の板状部の前記第１の板状部が連結された側とは反対側の端部が前記後壁部に当接された第２の状態と、に変化可能に構成されていることを特徴とする。
【０００６】
これによれば、上げ底形成部材を第２の状態にすれば、容器本体内に上げ底部分を形成でき、別途空き箱等を探す必要がないので、簡便であり、また、空き箱等の間に合わせの部材を用いないので、見た目が良い。そして、第１の板状部と第２の板状部とを容器本体の連続する２つの壁部の内側に重ねた第１の状態にすれば、上げ底形成部材を目立たないように収納できるので、上げ底形成部材を使用しないときの見た目も良い。
【０００７】
ここで、前記一の壁部が前記底壁部であり、前記他の壁部が前記前壁部であり、前記第１の板状部の前記第２の板状部に連結された側とは反対側の端部が、前記底壁部に枢着され、前記第１の板状部の前記枢着された端部を軸として前記上げ底形成部材を回動させることにより、前記上げ底形成部材が前記第１の状態から前記第２の状態に変化することとしてもよい。
【０００８】
これによれば、上げ底形成部材が底壁部に枢着されているので、上げ底形成部材の脱落による破損や紛失を防止できる。また、上げ底形成部材を回動させるだけで、上げ底部分が形成された第２の状態と、上げ底部分を形成せずに上げ底形成部材が収納された第１の状態とに変化するので、より簡便である。
【０００９】
また、前記容器本体には、前記一の壁部から前記他の壁部にかけて、内面に凹部が形成され、前記第１の状態において、前記上げ底形成部材が前記凹部に嵌合されることが好ましい。
【００１０】
これによれば、上げ底形成部材を使用しないときは、容器本体の連続する２つの壁部に形成された凹部に収納できるので、上げ底形成部材が更に目立ち難くなり、上げ底形成部材を使用しないときの見た目が更に良くなる。
【００１１】
さらに、前記第１の状態において、前記第１の板状部の内面と前記一の壁部の前記凹部が形成されていない部分の内面とが略面一をなすとともに、前記第２の板状部の内面と前記他の壁部の前記凹部が形成されていない部分の内面とが略面一をなすように構成されていることが好ましい。
【００１２】
これによれば、上げ底形成部材を使用しないときは、第１の板状部及び第２の板状部が容器本体の連続する２つの壁部と略面一をなすように収納できるので、上げ底形成部材を使用しないときの見た目がより一層良くなる。
【００１３】
また、前記後壁部に、前記第２の状態において前記第２の板状部の前記反対側の端部を係止する係止部が設けられていることが好ましい。
【００１４】
これによれば、第２の板状部が後壁部に係止されるので、第２の板状部が上に載せられた物の重みで撓んだり、第１の板状部が底壁部に枢着されていない場合において、第２の板状部が後壁部を滑り落ちて第２の状態が維持できなくなったりする虞を低減できる。
【００１５】
また、前記一の壁部と前記他の壁部とが、縦断面が略く字状をなすように連結され、前記上げ底形成部材の縦断面が前記一の壁部と前記他の壁部とがなす角度と略同じ角度の略く字状をなすように、前記第１の板状部と前記第２の板状部とが連結されていることとすれば、第１の状態において容積を確保できる。
【００１６】
また、前記第１の板状部と前記第２の板状部とが、屈曲された連結部を介して連結され、前記第２の状態において、前記第２の板状部が前記底壁部の上面と略平行で上方を向く第１の面を形成するとともに、前記連結部が前記第１の面よりも下位に前記底壁部の上面と略平行で上方を向く第２の面を形成するように構成されていることとすれば、第２の状態において複数の段を形成できる。
【考案の効果】
【００１７】
本考案の陳列用容器によれば、上げ底形成部材により上げ底部分が形成されるので、簡便に上げ底部分を形成でき、見た目も良い。また、上げ底形成部材を目立たないように収納できるので、上げ底形成部材を使用しないときの見た目も良い。
【図面の簡単な説明】
【００１８】
【図１】本考案の第１実施形態の陳列用容器の第１の状態の斜視図である。
【図２】本考案の第１実施形態の陳列用容器の第１の状態の平面図である。
【図３】図２のIII-III部位断面図である。
【図４】図２のIV-IV部位断面図である。
【図５】図２のV-V部位の部分端面図である。
【図６】図１のVI-VI部位の部分端面図である。
【図７】本考案の第１実施形態の陳列用容器において、上げ底形成部材を回動させている途中の斜視図である。
【図８】本考案の第１実施形態の陳列用容器の第２の状態の斜視図である。
【図９】図８のIX-IX部位断面図である。
【図１０】本考案の第２実施形態の陳列用容器の第１の状態の斜視図である。
【図１１】図１０の状態から上げ底形成部材を取り外した状態の斜視図である。
【図１２】図１１の状態から上げ底形成部材を回動させている途中の状態の斜視図である。
【図１３】図１２の状態から更に上げ底形成部材を回動させて反転した状態の斜視図である。
【図１４】本考案の第２実施形態の陳列用容器の第２の状態の斜視図である。
【図１５】本考案の他の実施形態の陳列用容器の縦断面図である。
【考案を実施するための形態】
【００１９】
以下、本考案の実施形態を図面に基づいて説明する。
【００２０】
〈第１実施形態〉
図１〜３に示すように、第１実施形態の陳列用容器１は、合成樹脂製の容器本体２と、容器本体２内に収納される合成樹脂製の上げ底形成部材３とから構成されている。
【００２１】
容器本体２は、略矩形状の底壁部２１と、底壁部２１に連続して底壁部２１の前端部から立ち上がる略矩形状の前壁部２２と、底壁部２１に連続して底壁部２１の後端部から立ち上がる略矩形状の後壁部２３と、底壁部２１と前壁部２２と後壁部２３とにそれぞれ連続して底壁部２１の左右の端部から立ち上がる左右の側壁部２４、２５の５つの壁部を備えて、上方が開放され、収納された商品を視認できるように各壁部に多数の貫通孔２８が形成されたバスケット状をなしている。なお、前壁部２２の高さは後壁部２３の高さより低くされ、これに応じて、側壁部２４、２５は上端面が前方に向かって下がっている。底壁部２１の下面四隅には、脚部２１１がそれぞれ突設されている。
【００２２】
上げ底形成部材３は、いずれも略矩形状の第１の板状部３１と第２の板状部３２とから構成され、図３に示すように、第１の板状部３１の端部３１２と第２の板状部３２の端部３２１とが連結されている。詳しくは、容器本体２の底壁部２１と前壁部２２とは、縦断面が略く字状をなすように連結されている。そして、第１の板状部３１と第２の板状部３２とは、上げ底形成部材３の縦断面が底壁部２１と前壁部２２とがなす角度と同じ角度の略く字状をなすように、連結されている。なお、略く字状とは、略Ｌ字状（すなわち、間の角度が略直角の場合）も含む意である。第２の板状部３２には、後述する第１の状態において内部に収納された商品を前壁部２２及び第２の板状部３２を介して視認できるように、多数の貫通孔３３が形成されている。
【００２３】
上げ底形成部材３には、第１の板状部３１から第２の板状部３２にかけて、後述する第１の状態において内面（すなわち、容器本体２の内方を向く面）となる側に、複数のリブ３４が突設されている。
【００２４】
また、第２の板状部３２の端部３２１とは反対側の端部３２２には、複数の凸部３２３が設けられ、容器本体２の後壁部２３には、凸部３２３を係止する複数の係止孔２３１（係止部に相当。）が形成されている。
【００２５】
第１の板状部３１の端部３１２とは反対側の端部３１１は、図４に示すように、中空の丸棒状で両端に突出部を有する回動軸３５とされ、回動軸３５は底壁部２１に設けられた軸受け部２７に枢着されて、上げ底形成部材３は、回動軸３５を軸として回動可能とされている。詳しくは、軸受け部２７は、底壁部２１の左の端部から右の端部まで左右方向に延びる断面略半円形状の凹溝部２７１と、凹溝部２７１の左右両側に設けられ、側壁部２４、２５から連続して下方に突出する馬蹄形状の突出部２７２、２７２とからなり、回動軸３５を凹溝部２７１に嵌合して、回動軸３５の両端の突出部を、突出部２７２、２７２の中央部に形成された孔に挿入することにより、回動軸３５は底壁部２１に枢着されている。
【００２６】
容器本体２には、底壁部２１から前壁部２２にかけて、内面に上げ底形成部材３を嵌合可能な凹部２６が形成されている。上げ底形成部材３は、使用しないときは、図１〜３に示すように凹部２６に嵌合することにより収納できる。詳しくは、凹部２６は、図３に示すように、前壁凹部２６１と底壁凹部２６２とからなり、前壁部２２の左右の側部２２１、２２２（図２参照）の間の部分が外方に向かって凹まされることにより、前壁凹部２６１とされ、第２の板状部３２は前壁凹部２６１に嵌合される。また、底壁部２１の軸受け部２７から前方の部分が、軸受け部２７から後方の部分よりも、上面が低く形成されることにより、底壁凹部２６２とされ、第１の板状部３１は底壁凹部２６２に嵌合される。
【００２７】
このように、上げ底形成部材３を凹部２６に嵌合して収納した状態が、第１の状態に相当し、第１の状態では、第１の板状部３１が、底壁凹部２６２に嵌合されることにより、底壁部２１の内側に重ねられ、第２の板状部３２が、前壁凹部２６１に嵌合されることにより、前壁部２２の内側に重ねられている。
【００２８】
凹部２６の凹みの深さは、底壁凹部２６２では第１の板状部３１（但し、回動軸３５及びリブ３４が形成された部分を除く。）の厚みに略一致し、前壁凹部２６１では第２の板状部３２（但し、リブ３４が形成された部分を除く。）の厚みに略一致しており、上げ底形成部材３が第１の状態とされたとき、図５に示すように、第１の板状部３１の内面と、底壁部２１の凹部２６（底壁凹部２６２）が形成されていない部分（すなわち、底壁部２１の軸受け部２７よりも後方の部分）の内面とが、面一をなすとともに、図６に示すように、第２の板状部３２の内面と、前壁部２２の凹部２６（前壁凹部２６１）が形成されていない部分（すなわち、側部２２１、２２２）の内面とが、面一をなすこととなる。
【００２９】
また、図５に示すように、軸受け部２７の凹溝部２７１は、その凹みの深さが回動軸３５の直径と略同一とされるとともに、回動軸３５は、第１の板状部３１の外面側（第１の状態における下面側）に中心がずれるように形成されることにより、第１の状態においては、軸受け部２７に嵌合された回動軸３５は、底壁部２１の軸受け部２７から後方の部分と略面一をなすこととなる。
【００３０】
以上のように構成された陳列用容器１では、上げ底を行わないときは、上げ底形成部材３を上述したように凹部２６に嵌合させた第１の状態にしておく。そして、上げ底を行うときは、図７に示すように、上げ底形成部材３を回動軸３５を中心として後方へ回動させる。すると、図８及び図９に示すように、底壁部２１上に第１の板状部３１が立設され、後壁部２３に第２の板状部３２の端部３２２が当接し、凸部３２３が係止孔２３１に係止された状態となる。この状態が第２の状態に相当し、第２の状態においては、第２の板状部３２は、底壁部２１の上面と平行で上方を向く面３２４を形成する。したがって、この面３２４上に商品を陳列することができる。
【００３１】
また、上げ底を止めて元に戻すときは、上げ底形成部材３を、回動軸３５を中心として前方へ回動させる。すると、上げ底形成部材３は、凸部３２３が係止孔２３１から抜脱され、再び、図１〜３に示すように凹部２６に収納された第１の状態となる。
【００３２】
以上説明したように、陳列用容器１は、上げ底形成部材３を回動させるだけで、上げ底形成部材３が収納された第１の状態と、上げ底部分が形成された第２の状態とに変化するので、上げ底を形成するときも元に戻すときも簡便であり、また、空き箱等の間に合わせの部材を用いないので、上げ底部分を形成したときの見た目が良い。また、上げ底形成部材３が底壁部２１に枢着されているので、上げ底形成部材３の脱落による破損や紛失を防止できる。
【００３３】
そして、第１の状態では、第１の板状部３１と第２の板状部３２とが容器本体２の前壁部２２と底壁部２１の内側に重ねられるので、上げ底形成部材３が目立たず、上げ底形成部材３を使用しないときの見た目が良い。のみならず、第１の状態では、上げ底形成部材３の内面が、底壁部２１及び前壁部２２の凹部２６が形成されていない部分の内面と略面一となるので、従来の陳列用容器と同様の容積を確保できるとともに、上げ底形成部材３がより目立たず、見た目に優れている。
【００３４】
また、第２の状態にしたときに、凸部３２３が係止孔２３１に係止されることにより、第２の板状部３２が後壁部２３に係止されるので、第２の板状部３２が上に載せられた商品の重みで撓んでしまう虞を低減できる。
【００３５】
〈第２実施形態〉
第２実施形態において第１実施形態と対応する構成要素については、第１実施形態における符号の後にＢを付し、その説明を適宜省略する。図１０及び図１１に示すように、第２実施形態の陳列用容器１Ｂは、合成樹脂製の容器本体２Ｂと、容器本体２Ｂ内に収納される合成樹脂製の上げ底形成部材３Ｂとから構成されている。
【００３６】
容器本体２Ｂは、略矩形状の底壁部２１Ｂと、底壁部２１Ｂに連続する前壁部２２Ｂと、底壁部２１Ｂに連続する後壁部２３Ｂと、底壁部２１Ｂと前壁部２２Ｂと後壁部２３Ｂとにそれぞれ連続する左右の側壁部２４Ｂ、２５Ｂの５つの壁部を備えて、上方が開放された箱状をなしている。なお、容器本体２Ｂには、第１実施形態の貫通孔２８に相当する孔は形成されていない。
【００３７】
上げ底形成部材３Ｂは、いずれも略矩形状の第１の板状部３１Ｂと第２の板状部３２Ｂとから構成されている。そして、容器本体２Ｂは、底壁部２１Ｂと前壁部２２Ｂとが縦断面が略く字状をなすように連結されており、上げ底形成部材３Ｂは縦断面（後述する第１の状態における縦断面）が、底壁部２１Ｂと前壁部２２Ｂとがなす角度と同じ角度で略く字状をなすように、第１の板状部３１Ｂの端部３１２Ｂと第２の板状部３２Ｂの端部３２１Ｂとが連結されている。
【００３８】
上げ底形成部材３Ｂには、第１の板状部３１Ｂから第２の板状部３２Ｂにかけて、後述する第１の状態において内面（すなわち、容器本体２Ｂの内方を向く面）となる側に、複数のリブ３４Ｂが突設されている。
【００３９】
第２の板状部３２Ｂの端部３２１Ｂとは反対側の端部３２２Ｂには、複数の凸部３２３Ｂが設けられ、容器本体２Ｂの後壁部２３Ｂには、複数の係止孔２３１Ｂ（係止部に相当。）が形成されている。
【００４０】
また、第１の板状部３１Ｂの中央部の内面には、後述する第１の状態において容器本体２Ｂの内方に向かって突出する指掛け部３６が形成されている。指掛け部３６は、第１の状態から上げ底形成部材３Ｂを持ち上げるときに、指を掛けて持ち上げ易くするためのものである。また、指掛け部３６は外面側が凹部とされており、後述する第２の状態から上げ底形成部材３Ｂを取り外すときにも、この凹部に指を掛けることにより上げ底形成部材３Ｂを持ち上げ易くなる。
【００４１】
容器本体２Ｂには、前壁部２２Ｂから底壁部２１Ｂにかけて、内面に上げ底形成部材３Ｂを嵌合可能な凹部２６Ｂが形成されている。上げ底形成部材３Ｂは、使用しないときは、図１０に示すように凹部２６Ｂに嵌合することにより収納できる。詳しくは、凹部２６Ｂは、図１２に示すように、前壁凹部２６１Ｂと底壁凹部２６２Ｂとからなり、前壁部２２Ｂの左右の側部２２１Ｂ、２２２Ｂの間の部分が外方に向かって凹む前壁凹部２６１Ｂとされ、第１の板状部３１Ｂは前壁凹部２６１Ｂに嵌合される。また、底壁部２１Ｂの前部が後部よりも上面が低い底壁凹部２６２Ｂとされ、第２の板状部３２Ｂは底壁凹部２６２Ｂに嵌合される。
【００４２】
このように、上げ底形成部材３Ｂを凹部２６Ｂに嵌合した状態が、第１の状態に相当し、第１の状態では、第１の板状部３１Ｂが前壁凹部２６１Ｂに嵌合されることにより、前壁部２２Ｂの内側に重ねられ、第２の板状部３２Ｂが、底壁凹部２６２Ｂに嵌合されることにより、底壁部２１Ｂの内側に重ねられている。
【００４３】
凹部２６Ｂの凹みの深さは、前壁凹部２６１Ｂでは第１の板状部３１Ｂ（但し、指掛け部３６及びリブ３４Ｂが形成された部分を除く。）の厚みに略一致し、底壁凹部２６２Ｂでは第２の板状部３２Ｂ（但し、リブ３４Ｂが形成された部分を除く。）の厚みに略一致しており、上げ底形成部材３Ｂが第１の状態とされたとき、第１の板状部３１Ｂの内面と、前壁部２２Ｂの凹部２６Ｂが形成されていない部分（すなわち、側部２２１Ｂ、２２２Ｂ）の内面とが、面一をなすとともに、第２の板状部３２Ｂの内面と、底壁部２１Ｂの凹部２６Ｂが形成されていない部分（すなわち、底壁部２１Ｂの後部）の内面とが、面一をなすこととなる。
【００４４】
また、底壁部２１Ｂの前部には、左右両側に、上方に突出する突起部２９、２９が設けられており、突起部２９、２９の上面は底壁部２１Ｂの後部と面一とされ、図１０に示すように、上げ底形成部材３Ｂが凹部２６に嵌合されたとき、突起部２９、２９は、第２の板状部３２Ｂの左右の端部に設けられた凹部３２５、３２５に嵌合し、その上面は第２の板状部３２Ｂの内面（第１の状態における上面）と略面一となる。
【００４５】
以上のように構成された陳列用容器１Ｂでは、上げ底を行わないときは、上げ底形成部材３Ｂを図１０に示すように凹部２６Ｂに嵌合させた第１の状態にしておく。そして、上げ底を行うときは、指掛け部３６に指を掛けて図１１に示すように上げ底形成部材３Ｂを凹部２６Ｂから取り外し、図１２及び図１３に示すように回動させて反転し（裏返し）、図１４に示すように、第１の板状部３１Ｂの端部３１１Ｂが突起部２９、２９の後側に当接するように、底壁部２１Ｂ上に第１の板状部３１Ｂを立設し、第２の板状部３２Ｂの端部３２２Ｂを、後壁部２３Ｂに当接させる。すると、凸部３２３Ｂが係止孔２３１Ｂに挿入され係止される。また、突起部２９、２９により、上げ底形成部材３Ｂは前方への移動が規制される。この状態が第２の状態に相当し、第２の状態においては、第２の板状部３２Ｂは、底壁部２１Ｂの上面と平行で上方を向く面３２４Ｂを形成する。したがって、この面３２４Ｂ上に商品を陳列することができる。
【００４６】
また、上げ底を止めて元に戻すときは、指掛け部３６に指を掛けて上げ底形成部材３Ｂを少し前方へ回動させ、凸部３２３Ｂを係止孔２３１Ｂから抜脱した後、上げ底形成部材３Ｂを持ち上げて図１３の状態とする。そして、上げ底形成部材３Ｂを回動させて、図１０に示すように凹部２６に嵌合することにより、第１の状態とする。
【００４７】
以上説明したように、陳列用容器１Ｂは、上げ底形成部材３Ｂを持ち上げて（すなわち、移動させて）回動させるだけで、上げ底形成部材３Ｂが収納された第１の状態と、上げ底部分が形成された第２の状態とに変化するので、上げ底を形成するときも元に戻すときも簡便であり、上げ底部分を形成したときの見た目も良い。
【００４８】
また、第１の状態では、上げ底形成部材３Ｂが凹部２６Ｂに嵌合されるので、上げ底形成部材３Ｂが目立たず、見た目が良い。のみならず、第１の状態では、上げ底形成部材３Ｂの内面が、底壁部２１Ｂ及び前壁部２２Ｂの凹部２６Ｂが形成されていない部分の内面と略面一をなすので、従来の陳列用容器と同様の容積を確保できるとともに、上げ底形成部材３Ｂがより目立たず、見た目に優れることとなる。
【００４９】
また、第２の状態にしたときに、凸部３２３Ｂが係止孔２３１Ｂに係止されるとともに、第１の板状部３１Ｂの端部３１１Ｂが突起部２９、２９により前方への移動を規制されるので、第１の板状部３１Ｂが底壁部２１Ｂに枢着されていなくても、第２の板状部３２Ｂが後壁部２３Ｂを滑り落ちるとともに第１の板状部３１Ｂが前方へ移動して、第２の状態が維持できなくなる虞を低減できる。
【００５０】
〈その他の実施形態〉
上記実施形態はいずれも、第１の板状部３１、３１Ｂと第２の板状部３２、２３Ｂとを直接連結し、上げ底形成部材３、３Ｂを縦断面略く字状としたが、第１の板状部３１、３１Ｂと第２の板状部３２、３２Ｂとを、屈曲された連結部を介して連結するように構成してもよい。かかる実施形態について、図１５に基づいて、第１実施形態と対応する構成要素については、第１実施形態における符号の後にＣを付してその説明を適宜省略しつつ、説明する。この実施形態の上げ底形成部材３Ｃは、第１の板状部３１Ｃと第２の板状部３２Ｃとが、断面略く字状に屈曲された連結部３７を介して連結され、全体として縦断面が略Ｗ字状をなしている。上げ底形成部材３Ｃは、第１の状態では、第１の板状部３１Ｃは底壁凹部２６２Ｃに嵌合され、第２の板状部３２Ｃは前壁凹部２６１Ｃに嵌合されている。そして、上げ底形成部材３Ｃを後方へ回動させると、図１５の二点鎖線に示すように、第１の板状部３１Ｃが底壁部２１Ｃ上に立設され、第２の板状部３２Ｃの端部３２２Ｃが後壁部２３Ｃに当接し、凸部３２３Ｃが係止孔２３１Ｃに係止された第２の状態となる。第２の状態においては、第２の板状部３２Ｃが、底壁部２１Ｃの上面と平行で上方を向く第１の面３２４Ｃを形成するとともに、連結部３７が、第１の面３２４Ｃよりも下位に、底壁部２１Ｃの上面と平行で上方を向く第２の面３７１を形成する。この実施形態では、第２の状態において複数の段（ここでは２つの段）が形成されるので、雛壇状に商品を陳列することができる。
【００５１】
また、凹部２６、２６Ｂを設けない形態として、単に、第１の板状部３１、３１Ｂを底壁部２１、２１Ｂの内側に重ね、第２の板状部３２、３２Ｂを前壁部２２、２２Ｂの内側に重ねた状態を、第１の状態としてもよい。特に、第１実施形態のように上げ底形成部材３が底壁部２１に枢着されているときは、上げ底形成部材３と容器本体２とは一体的であるので、凹部２６を設けずに、第１の状態において上げ底形成部材３を底壁部２１と前壁部２２とに重ねるだけでもよい。
【００５２】
また、陳列用容器１において、上げ底形成部材３を底壁部２１に着脱可能に枢着することとしてもよい。
【００５３】
また、第１の状態において上げ底形成部材３、３Ｂを重ねる壁部は、底壁部２１、２１Ｂ及び前壁部２２、２２Ｂでなくてもよい。例えば、第２実施形態において、凹部２６Ｂを後壁部２３Ｂから底壁部２１Ｂの後部にかけて形成しておき、上げ底形成部材３Ｂを凹部２６Ｂに嵌合することにより底壁部２１Ｂと後壁部２３Ｂとに重ねた状態を、第１の状態としてもよい。この場合には、底壁部２１Ｂの前部は後部よりも一段高くなっているので、第１の板状部３１Ｂの端部３１１Ｂを、底壁部２１Ｂの前部の後端に係止すれば、突起部２９、２９は不要である。また、前壁部２２Ｂと側壁部２４Ｂとに重ねる等してもよい。
【００５４】
また、陳列用容器１Ｂにおいて、後壁部２３Ｂに設けられた係止孔２３１Ｂ等の係止部で第２の板状部３２Ｂが係止されることにより、第２の板状部３２Ｂが滑り落ちる虞が小さければ、突起部２９、２９は設けなくてもよい。
【００５５】
また、底壁部２１、２１Ｂ、第１の板状部３１、３１Ｂ、第２の板状部３２、３２Ｂ等は、略矩形状でなくてもよい。かかる例としては、底壁部２１の後端縁を外方に膨出する円弧状とし、後壁部２３を横断面が円弧状の曲面状として、それに合わせて、第２の板状部３２を、上端縁が上方に膨出する円弧状の板状とする例がある。
【符号の説明】
【００５６】
１，１Ｂ，１Ｃ…陳列用容器
２，２Ｂ，２Ｃ…容器本体
３，３Ｂ，３Ｃ…上げ底形成部材
２１，２１Ｂ，２１Ｃ…底壁部
２２，２２Ｂ，２２Ｃ…前壁部
２３，２３Ｂ，２３Ｃ…後壁部
２４，２４Ｂ，２５，２５Ｂ，２５Ｃ…側壁部
２６，２６Ｂ，２６Ｃ…凹部
３１，３１Ｂ，３１Ｃ…第１の板状部
３２，３２Ｂ，３２Ｃ…第２の板状部
２３１，２３１Ｂ，２３１Ｃ…係止孔（係止部）
３１１，３１１Ｂ，３１２，３１２Ｂ，３２１，３２１Ｂ，３２２，３２２Ｂ，３２２Ｃ…端部
【図１】
0003157424.tif 000003
【図２】
0003157424.tif 000004
【図３】
0003157424.tif 000005
【図４】
0003157424.tif 000006
【図５】
0003157424.tif 000007
【図６】
0003157424.tif 000008
【図７】
0003157424.tif 000009
【図８】
0003157424.tif 000010
【図９】
0003157424.tif 000011
【図１０】
0003157424.tif 000012
【図１１】
0003157424.tif 000013
【図１２】
0003157424.tif 000014
【図１３】
0003157424.tif 000015
【図１４】
0003157424.tif 000016
【図１５】
0003157424.tif 000017